(57)【要約】【課題】施工性を向上することができる太陽光発電装置を提供する。【解決手段】実施形態の一例である太陽光発電装置１０は、軒棟方向において隣り合う太陽電池モジュール１０同士を支持部材（例えば、ベース金具５０や、横桟、縦桟等）に固定する上止め金具２０を備え、上止め金具２０は、基部２１と、少なくとも１つの脚部２２Ａと、を備え、基部２１は、隣り合う太陽電池モジュール１０同士の隙間に嵌め合わされ、脚部２２Ａは、基部２１の底部２１Ｃから下方に向かって支持部材まで延びるように形成される。【選択図】図２
2020165280.tif 000002
【特許請求の範囲】
【請求項１】
軒棟方向において隣り合う太陽電池モジュール同士を支持部材に固定する上止め金具を備え、
前記上止め金具は、基部と、少なくとも１つの脚部と、を備え、
前記基部は、前記隣り合う太陽電池モジュール同士の隙間に嵌め合わされ、
前記脚部のうちの１つは、前記基部の棟側の端部から下方に向かって前記支持部材まで延びるように形成される、太陽光発電装置。
【請求項２】
前記上止め金具は、前記脚部を２つ備え、一方の前記脚部の長さは、他方の前記脚部の長さ以上である、請求項１記載の太陽光発電装置。
【請求項３】
アースプレートをさらに備え、
前記アースプレートは、前記脚部と前記支持部材との間に固定される、請求項１または２に記載の太陽光発電装置。
【請求項４】
前記上止め金具の桁方向の長さは、少なくとも前記隣り合う太陽電池モジュール同士のうちの一つの太陽電池モジュールの桁方向の長さ以上とされる、請求項１から３のいずれか１項に記載の太陽光発電装置。
【請求項５】
カバーをさらに備え、
前記基部の棟側および軒側の側部の内側には、前記カバーを支持する突起部が形成される、請求項１から４のいずれか１項に記載の太陽光発電装置。
【請求項６】
前記支持部材と前記上止め金具とは、前記支持部材の下方から締結具によって締結され、
前記締結具の頭部と前記支持部材との間には、弾性部材が介される、請求項１から５のいずれか１項に記載の太陽光発電装置。
【請求項７】
前記太陽電池モジュールは、太陽電池パネルと、前記太陽電池パネルの端部に取り付けられるモジュールフレームとを有し、
前記軒棟方向において隣り合う前記太陽電池モジュールのうち棟側に配置される第１太陽電池モジュールの前記モジュールフレームと前記支持部材との間に当該モジュールフレームを押圧した状態で配置される押圧部材をさらに備える、請求項１から６のいずれか１項に記載の太陽光発電装置。
【請求項８】
前記第１太陽電池モジュールの前記モジュールフレームは、フレーム本体の下端からモジュールの内側に延出した内鍔を含み、
前記押圧部材は、前記内鍔を利用して前記第１太陽電池モジュールを押し上げる、請求項７に記載の太陽光発電装置。
【請求項９】
前記押圧部材は、上下方向に弾性変形可能な弾性体を含む、請求項７または８に記載の太陽光発電装置。
【請求項１０】
前記押圧部材は、前記モジュールフレームと前記支持部材との間に介在する板状の部材であって、前記フレーム本体の下に位置する部分よりも前記内鍔の下に位置する部分が厚く形成されている、請求項８に記載の太陽光発電装置。
【請求項１１】
前記押圧部材は、アースプレートであって、
前記アースプレートは、前記モジュールフレームの前記内鍔の下に位置する部分に、当該プレートの端部を折り返して形成された厚肉部を有する、請求項１０に記載の太陽光発電装置。
【発明の詳細な説明】
【技術分野】
【０００１】
本開示は、太陽光発電装置に関する。
【背景技術】
【０００２】
複数の太陽電池モジュールから構成される太陽光発電装置は、公知である。例えば、特許文献１には、鍔の無い汎用フレームを備える太陽電池モジュールが取り付けられる太陽光発電装置が開示される。
【先行技術文献】
【特許文献】
【０００３】
【特許文献１】特許第５７０５３８０号公報
【発明の概要】
【発明が解決しようとする課題】
【０００４】
特許文献１に記載されるような標準的な上止め金具を使用して太陽電池モジュールを固定する太陽光発電装置では、軒側の太陽電池モジュールと棟側の太陽電池モジュールの間を固定する場合、軒側と棟側とに太陽電池モジュールを配置した状態でそれぞれの太陽電池モジュールを固定する作業を行うため、作業者の体勢が不安定になる等の施工性の面で課題がある。
【０００５】
本開示の目的は、施工性を向上することができる太陽光発電装置を提供することである。
【課題を解決するための手段】
【０００６】
本開示の一態様である太陽光発電装置は、軒棟方向において隣り合う太陽電池モジュール同士を支持部材に固定する上止め金具を備え、上止め金具は、基部と、少なくとも１つの脚部と、を備え、基部は、隣り合う太陽電池モジュール同士の隙間に嵌め合わされ、脚部のうちの１つは、基部の棟側の端部から下方に向かって支持部材（例えば、ベース金具や、横桟、縦桟等）まで延びるように形成される。
【発明の効果】
【０００７】
本開示の一態様によれば、施工性を向上することができる太陽光発電装置を提供できる。さらに、上止め金具の長さが太陽電池モジュールの長さと同等であれば、太陽電池モジュールの表面の部分的な金具の露出を全面に現れるようにして、意匠性を向上することができる。
【図面の簡単な説明】
【０００８】
【図１】実施形態の一例である太陽光発電装置の平面図である。
【図２】太陽電池モジュールの取り付け構成を示す断面図である。
【図３】アースプレートの平面図である。
【図４】アースプレートの断面図である。
【図５Ａ】太陽電池モジュールの取り付け方法を示す断面図である。
【図５Ｂ】太陽電池モジュールの取り付け方法を示す断面図である。
【図５Ｃ】太陽電池モジュールの取り付け方法を示す断面図である。
【図６】太陽電池モジュールの別の取り付け構成を示す断面図である。
【図７】実施形態の他の一例である太陽光発電装置の断面図である。
【図８】押圧部材が取り付けられた支持部材の幅方向断面図である。
【図９】実施形態の他の一例である太陽光発電装置において、棟側の太陽電池モジュールを支持部材に取り付ける様子を示す図である。
【図１０】実施形態の他の一例である太陽光発電装置の断面図である。
【図１１】実施形態の他の一例である太陽光発電装置の断面図である。
【発明を実施するための形態】
【０００９】
以下、図面を参照しながら、実施形態の一例を詳細に説明する。実施形態において参照する図面は、模式的に記載されたものであるから、図面に描画された構成要素の寸法などは、以下の説明を参酌して判断されるべきである。本明細書において、「略〜」との記載は、略同一を例に説明すると、完全に同一はもとより、実質的に同一と認められる場合を含む意図である。以下で説明する実施形態は例示であって、本開示の太陽光発電装置はこれに限定されない。
【００１０】
以下では、屋根１１０の野地板１１２に垂直な方向に沿うベース金具５０等の方向は、「上下方向」として定義される。図面は、屋根１１０の軒棟方向を矢印α、桁方向を矢印β、上下方向を矢印γで表す。
【００１１】
図１を用いて、太陽光発電装置１００の構成を説明する。図１は、太陽光発電装置１００の構成を示す平面図である。
【００１２】
太陽光発電装置１００は、太陽電池モジュール１０と、上止め金具２０と、を備える。また、太陽光発電装置１００は、カバー３０を備えていてもよい。太陽電池モジュール１０は、平面視において略長方形状に構成される。太陽電池モジュール１０の形状は、特に限定されず、平面視において、略正方形状または略台形状であってもよい。
【００１３】
太陽電池モジュール１０は、太陽電池モジュール１０の短辺が軒棟方向に略平行となるように設けられる。太陽電池モジュール１０の数または配列は、特に限定されない。
【００１４】
太陽光発電装置１００は、屋根１１０に固定される。屋根１１０の太陽光発電装置１００の周囲には、屋根材１１１が設けられる。ここで、図１に示す例は、屋根材１１１が太陽光発電装置１００の下に設けられない形態であるが、これに限定されない。屋根材１１１には、和瓦、洋瓦、平板瓦（平板陶器瓦）およびスレート瓦等が含まれる。屋根１１０の形状は、特に限定されず、寄棟屋根、方形屋根または切妻屋根であってもよい。
【００１５】
ベースプレート６０は、屋根１１０の野地板１１２（図２参照）の上に固定される。ベースプレート６０は、例えば平面視において略矩形状に形成される。
【００１６】
太陽電池モジュール１０は、太陽電池パネル１１と、フレーム１２と、を備える。太陽電池パネル１１は、例えば複数の太陽電池セルと、太陽電池セルの受光面側に設けられるガラス基板と、太陽電池セルの裏面側に設けられるバックシートと、各保護部材の間に充填される封止材と、を備える。フレーム１２の詳細は、後述する。
【００１７】
図２を用いて、太陽電池モジュール１０の取り付け構成を説明する。図２は、図１におけるＭＭ断面を示す断面図である。
【００１８】
上述したように、太陽電池モジュール１０は、フレーム１２を備える。フレーム１２は、太陽電池パネル１１の端部に設けられる。フレーム１２は、平面視において、太陽電池パネル１１の四方を囲むように構成される（図１参照）。
【００１９】
フレーム１２は、例えばアルミ製である。フレーム１２は、本体１２Ａと、鉤部１２Ｂと、を備える。
【００２０】
本体１２Ａは、軒棟方向の断面視において、中空の略長方形状に形成される。鉤部１２Ｂは、軒棟方向の断面視において、鉤形状に形成される。鉤部１２Ｂは、本体１２Ａの上端部において、太陽電池モジュール１０の内側に向かって形成される。鉤部１２Ｂと本体１２Ａとから形成される空間には、太陽電池パネル１１の端部が嵌め合わされる。
【００２１】
上述したように、太陽光発電装置１００は、上止め金具２０と、カバー３０と、を備える。上止め金具２０は、棟側の太陽電池モジュール１０と軒側の太陽電池モジュール１０との隙間に設けられる。上止め金具２０は、軒側の太陽電池モジュール１０と棟側の太陽電池モジュール１０とを後述するベース金具５０に固定する。
【００２２】
上止め金具２０は、例えばアルミ製である。上止め金具２０は、軒棟方向の断面視において、略Ｙ字形状に形成される。上止め金具２０には、基部２１と、棟側の脚部２２Ａと、軒側の脚部２２Ｂと、突起部２３と、が形成される。
【００２３】
基部２１は、軒側の太陽電池モジュール１０と棟側の太陽電池モジュール１０との隙間に嵌め合わされる。基部２１は、軒棟方向の断面視において、略Ｕ字形状に形成される。より詳細には、基部２１には、棟側の側部２１Ａと、軒側の側部２１Ｂと、底部２１Ｃと、棟側の鍔部２１Ｄと、軒側の鍔部２１Ｅと、が形成される。基部２１の底部２１Ｃには、貫通孔２１Ｆが形成される。
【００２４】
棟側の鍔部２１Ｄは、棟側の側部２１Ａの上端部から棟側に延出するように形成される。棟側の鍔部２１Ｄは、基部２１の桁方向の全長にわたって形成される。軒側の鍔部２１Ｅは、軒側の側部２１Ｂの上端部から軒側に延出するように形成される。軒側の鍔部２１Ｅは、基部２１の桁方向の全長にわたって形成される。
【００２５】
棟側の脚部２２Ａは、基部２１の棟側の側部２１Ａの下端部から下方に向かって延出して形成される。脚部２２Ａは、ベース金具５０まで延出して形成される。より詳細には、脚部２２Ａは、ベース金具５０に固定されるアースプレート４０まで延出して形成される。脚部２２Ａは、基部２１の棟側の側部２１Ａと同一平面上に形成される。脚部２２Ａと基部２１の棟側の側部２１Ａとは、フレーム１２の軒側の側面に沿ってフレーム１２の軒側の側面に当接している。
【００２６】
軒側の脚部２２Ｂは、基部２１の軒側の側部２１Ｂの下端部から下方に向かって延出して形成される。脚部２２Ｂは、底部２１Ｃとベース金具５０との中間あたりまで延出して形成される。脚部２２Ｂは、基部２１の軒側の側部２１Ｂと同一平面上に形成される。脚部２２Ｂと基部２１の軒側の側部２１Ｂとは、フレーム１２の棟側の側面に沿ってフレーム１２の棟側の側面に当接している。脚部２２Ｂの下端部からベース金具５０までに隙間を設けることによって、軒側の太陽電池モジュール１０に対し上止め金具２０を強く押し付けることができる。
【００２７】
軒側の脚部２２Ｂの上下方向の長さは、棟側の脚部２２Ａの上下方向の長さよりも短い。より詳細には、基部２１の底部２１Ｃからの軒側の脚部２２Ｂの上下方向の長さは、基部２１の底部２１Ｃからの棟側の脚部２２Ａの上下方向の長さよりも短い。
【００２８】
突起部２３は、カバー３０を支持する。突起部２３は、基部２１の軒側の側部２１Ａおよび棟側の側部２１Ｂのそれぞれの内側に形成される。それぞれの突起部２３は、上下方向において互いに対向する位置に形成される。突起部２３の軒棟方向に沿った長さは、上方から基部２１を見たとき、ナットＮが隠れない程度の長さとする。
【００２９】
カバー３０は、上止め金具２０の基部２１を覆うように設けられる。より詳細には、カバー３０は、基部２１の突起部２３に支持される。カバー３０は、平板形状に形成される。カバー３０は、ドリルねじＤによって、上止め金具２０の基部２１の底部２１Ｃに固定される。
【００３０】
太陽光発電装置１００は、アースプレート４０と、支持部材としてのベース金具５０と、ベースプレート６０と、締結具としてのボルトＢおよびナットＮと、弾性部材としてのスプリングＳと、をさらに備える。
【００３１】
アースプレート４０は、ボルトＢおよびナットＮによって上止め金具２０とベース金具５０との間に固定される。アースプレート４０の詳細は、後述する。
【００３２】
ベース金具５０は、アースプレート４０とベースプレート６０との間に固定される。ベース金具５０は、軒棟方向の断面視において、略逆Ｕ字形状に形成される。ベース金具５０の天井部には、凹部５１が形成される。凹部５１は、ベース金具５０の全長にわたって形成され、ボルトＢの頭部ＢＨをスライド可能に支持する。凹部５１には、ボルトＢの頭部ＢＨと、スプリングＳと、が収納される。
【００３３】
締結具としてのボルトＢおよびナットＮは、上止め金具２０とアースプレート４０とベース金具５０とを固定する。ナットＮは、上止め金具２０の基部２１に収納される。
【００３４】
弾性部材としてのスプリングＳは、ボルトＢの頭部ＢＨとベース金具５０の天井部との間に介される。スプリングＳは、ベース金具５０の凹部５１に収納される。弾性部材は、例えばバネである。
【００３５】
棟側において、鍔部２１Ｄと、側部２１Ａと、脚部２２Ａと、アースプレート４０と、から略Ｃ字形状に空間Ｆ１が形成される。空間Ｆ１は、フレーム１２がはまる部分である。
【００３６】
太陽電池モジュール１０の取り付け構成としては、フレーム１２が空間Ｆ１に嵌め合わされることによって、棟側の太陽電池モジュール１０がベース金具５０上に取り付けられる。
【００３７】
図３および図４を用いて、アースプレート４０の構成を説明する。図３は、アースプレート４０の構成を示す平面図である。図４は、図３におけるＮＮ断面を示す断面図である。
【００３８】
上述したように、アースプレート４０は、上止め金具２０とベース金具５０との間に固定される。アースプレート４０は、例えば、ステンレス製である。
【００３９】
アースプレート４０は、平板形状に形成される。アースプレート４０には、貫通孔４１と、突起部４２と、が形成される。貫通孔４１は、平面視において、アースプレート４０の略中心部に形成される。
【００４０】
突起部４２は、平面視において、アースプレート４０の軒棟方向の端部にそれぞれ形成される。突起部４２は、軒棟方向の端部のそれぞれに４つずつ形成される。突起部４２は、略三角錐形状等に形成される。突起部４２は、内側が開口され、外側が連続した斜面となるように形成される場合や、三角形状の先端を切り起こす等の突起状に形成される。突起部４２は、アースプレート４０の上面および下面に形成される。
【００４１】
図５を用いて、太陽電池モジュール１０の取り付け方法について説明する。図５は、太陽電池モジュール１０の取り付け方法を断面図によって表す。
【００４２】
太陽電池モジュール１０の取り付け方法として、図５Ａに示すように、まず、ベース金具５０の上に、アースプレート４０を介して、軒側の太陽電池モジュール１０が配置される。このとき、ベース金具５０には、ボルトＢが立てられる。
【００４３】
図５Ｂに示すように、ベース金具５０に立てられたボルトＢに上止め金具２０の貫通孔２１Ｆを貫通させ、ボルトＢにナットＮを螺合して締め付けることによって、太陽電池モジュール１０のフレーム１２を押さえる。このとき、上止め金具２０がアースプレート４０を介してベース金具５０に固定され、棟側には空間Ｆ１が形成される。
【００４４】
図５Ｃに示すように、次に、棟側の太陽電池モジュール１０が空間Ｆ１に嵌め合わされるように、棟側から太陽電池モジュール１０が空間Ｆ１に差し込まれる。具体的には、棟側から太陽電池モジュール１０が空間Ｆ１に向けてスライドされる。このとき、アースプレート４０の突起部４２がフレーム１２の本体１２Ａの底面に引っかかる。
【００４５】
このような構成とすることで、太陽電池パネル１１からフレーム１２を介してアースプレート４０までのアース経路は確保される。
【００４６】
太陽光発電装置１００の効果について説明する。太陽光発電装置１００によれば、太陽光発電装置１００の施工性が向上する。
【００４７】
また、棟側から太陽電池モジュール１０が空間Ｆ１に差し込まれることによって、軒側と棟側とに太陽電池モジュール１０を配置した状態でそれぞれの太陽電池モジュール１０を固定する作業を行う必要がない。そのため、作業者の体勢が不安定になることはない。これにより、太陽光発電装置１００の施工性が向上する。
【００４８】
さらに、上止め金具２０にカバー３０が設けられることによって、別途カバー受けとしての部材が不要とされ、太陽光発電装置１００の部材点数が削減される。
【００４９】
また、ボルトＢの頭部ＢＨとベース金具５０との間にスプリングＳを介することによって、ベース金具５０に対する上止め金具２０の上下方向の固定位置が微調整される。上止め金具２０の上下方向の固定位置が微調整されることによって、空間Ｆ１の高さ（上下方向の長さ）が微調整される。空間Ｆ１の上下方向の長さが微調整されることによって、棟側から太陽電池モジュール１０が空間Ｆ１にスムーズに差し込まれる。
【００５０】
図６を用いて、太陽電池モジュール１０の別の取り付け構成を説明する。図６は、別実施形態に係る太陽電池モジュール１０の取り付け構成を断面図によって表す。
【００５１】
以下では、上述した太陽光発電装置１００と異なる構成のみを説明する。上止め金具１２０は、略Ｘ字形状に形成される。上止め金具１２０には、基部１２１と、棟側の脚部１２２Ａと、軒側の脚部１２２Ｂと、突起部１２３と、が形成される。基部１２１および突起部１２３の説明は、上述した基部２１および突起部２３と同様であるため、省略する。
【００５２】
棟側の脚部１２２Ａは、基部１２１の棟側の側部１２１Ａの下端部から下方に向かって延出して形成される。脚部１２２は、ベース金具５０に固定されるアースプレート１４０の凸部１４５まで延出して形成される。
【００５３】
軒側の脚部１２２Ｂは、棟側の脚部１２２Ａと同じ長さである。基部１２１の軒側の側部１２１Ｂの下端部から下方に向かって延出して形成される。脚部１２２Ｂは、脚部１２２Ａの下端と同じ上下方向の位置まで延出して形成される。
【００５４】
アースプレート１４０は、平板形状に形成される。アースプレート１４０には、アースプレート１４０の一部が上面に折り曲げられる凸部１４５が形成される。凸部１４５には、棟側の脚部１２２Ａの下端部が当接される。
【００５５】
太陽電池モジュール１０の別の取り付け構成では、上述した太陽光発電装置１００の効果と同様の効果が奏される。
【００５６】
上止め金具２０およびカバー３０は、軒棟方向に隣接する太陽電池モジュール１０同士の隙間に設けられる。例えば、上止め金具２０およびカバー３０の桁方向の長さは、少なくとも隣り合う太陽電池モジュール１０同士のうちの一つの太陽電池モジュール１０の桁方向の長さ以上としてもよい。この場合は、上止め金具２０およびカバー３０の桁方向の長さが短いものと比較して、太陽光発電装置１００の意匠性が向上する。また、太陽光発電装置１００の部品点数が削減される。なお、カバー３０は、なくてもよい。
【００５７】
以下、図７〜図１１を参照しながら、実施形態の他の一例である太陽光発電装置２００，３００について詳説する。図７は、太陽光発電装置２００を屋根の軒棟方向（縦桟７０の長手方向）に切断した断面図であって、屋根に対する太陽電池モジュール１０の取り付け構造を示す図である。図８は、押圧部材８０が取り付けられた縦桟７０を幅方向に切断した断面図である。図９は、太陽光発電装置２００において、太陽電池モジュール１０を縦桟７０に取り付ける過程を示す図である。
【００５８】
図７〜図９に例示するように、太陽光発電装置２００は、太陽電池モジュール１０を支持する支持部材として、ベース金具５０の代わりに、軒棟方向に沿って屋根に配置された縦桟７０を備える点で、太陽光発電装置１００と異なる。縦桟７０は、例えば軒棟方向に隣り合う２枚の太陽電池モジュール１０を載置可能な長さを有する。各太陽電池モジュール１０は、例えば２本の縦桟７０によって支持される。さらに、太陽光発電装置２００は、縦桟７０に取り付けられる押圧部材８０を備える。
【００５９】
以下では、説明の便宜上、軒棟方向に隣り合って配置される２枚の太陽電池モジュール１０のうち、棟側に配置されるモジュールを太陽電池モジュール１０Ａ、軒側に配置されるモジュールを太陽電池モジュール１０Ｂとする。なお、図７ではアースプレートを図示していないが、太陽電池モジュール１０Ａ，１０Ｂが載置される縦桟７０の上面にはアースプレートを取り付けることが好ましい。
【００６０】
太陽光発電装置２００は、太陽光発電装置１００と同様に、太陽電池モジュール１０Ａ，１０Ｂに跨って取り付けられ、太陽電池モジュール１０Ａ，１０Ｂを縦桟７０に固定するための上止め金具２０を備える。上止め金具２０は、縦桟７０に立設したボルトＢを用いて縦桟７０に固定され、太陽電池モジュール１０Ａ，１０Ｂを上から縦桟７０に押え付ける。ボルトＢは底部２１Ｃに形成された貫通孔２１Ｆに軸部が挿通され、軸部の貫通孔２１Ｆから上方に突き出た部分にナットＮが取り付けられる。
【００６１】
縦桟７０は、図示しない取り付け金具を用いて屋根の野地板に固定される。縦桟７０には、ボルトＢの頭部ＢＨを軒棟方向に沿ってスライド可能に保持する凹部７１が形成されている。ボルトＢは、頭部ＢＨが凹部７１に挿入され、軸部が凹部７１から突き出た状態で縦桟７０に保持される。凹部７１は、例えば縦桟７０の全長にわたって、縦桟７０の上面の幅方向中央部に形成される。なお、縦桟７０の上面には、ボルトＢの頭部ＢＨの直径より小さく、軸部の直径より大きな幅を有する凹部７１の開口７２（図８参照）が形成されている。
【００６２】
上止め金具２０は、上述のように、側部２１Ａ，２１Ｂ、底部２１Ｃ、および鍔部２１Ｄ，２１Ｅを含む基部２１と、脚部２２Ａ，２２Ｂとを有する。側部２１Ａは底部２１Ｃの棟側端部から、側部２１Ｂは底部２１Ｃの軒側端部から、上方に向かって互いに略平行に形成される。また、脚部２２Ａは底部２１Ｃの棟側端部から、脚部２２Ｂは底部２１Ｃの軒側端部から、側部２１Ａ，２１Ｂと反対方向（下方）に向かって互いに略平行に形成される。また、側部２１Ａ，２１Ｂ、および脚部２２Ａ，２２Ｂは、それぞれ底部２１Ｃに対して略垂直に形成される。
【００６３】
上止め金具２０は、鍔部２１Ｄ，２１Ｅが太陽電池モジュール１０Ａ，１０Ｂの各フレーム１２の鉤部１２Ｂを上から押えた状態で、ボルトＢを用いて縦桟７０に固定される。脚部２２Ａは縦桟７０の上面に当接する一方、脚部２２Ｂの下端と縦桟７０の上面との間には隙間が形成される。縦桟７０の上面にアースプレートが配置される場合、脚部２２Ａはアースプレートに当接する。なお、鍔部２１Ｄ，２１Ｅは、側部２１Ａ，２１Ｂの上端から互いに反対方向に延び、側部２１Ａ，２１Ｂに対して略垂直に形成されている。
【００６４】
太陽光発電装置２００では、太陽電池モジュール１０Ａのフレーム１２の下に押圧部材８０が配置されている。押圧部材８０は、ボルトＢと同様に、縦桟７０の凹部７１に挿入され、軒棟方向にスライド可能に保持される。押圧部材８０は、太陽電池モジュール１０Ａのフレーム１２（本体１２Ａ）と支持部材である縦桟７０との間にフレーム１２を下から押圧した状態で配置される。すなわち、押圧部材８０は、フレーム１２の本体１２Ａの下面に当接して太陽電池モジュール１０Ａを下方から押し上げる。フレーム１２は、上止め金具２０の鍔部２１Ｄにより上から押圧されると共に、押圧部材８０により下から押圧され、上止め金具２０と押圧部材８０によって挟持される。したがって、太陽電池モジュール１０Ａの軒側端部に配置されるフレーム１２は縦桟７０に安定に固定される。
【００６５】
押圧部材８０は、上下方向に弾性変形可能な弾性体８１を含む。弾性体８１は、押圧部材８０がフレーム１２の本体１２Ａの下面に当接した状態で圧縮され、フレーム１２には弾性体８１の復元力（付勢力）が作用する。弾性体８１は、例えばゴム、発泡体等の弾性変形可能な樹脂で構成される。また、弾性体８１はバネであってもよい。押圧部材８０は、全体がゴム等の弾性体８１で構成されていてもよく、一部が弾性体８１で構成されていてもよい。
【００６６】
図８および図９に示すように、太陽電池モジュール１０Ａのフレーム１２が縦桟７０上に配置されていない状態では、押圧部材８０の一部が凹部７１の開口７２から上方に突出している。この場合、押圧部材８０の弾性体８１は圧縮されていない状態であり、縦桟７０の上面には、凹部７１の開口７２から突出した押圧部材８０の一部（凸部８３）が存在する。他方、図７に示すように、フレーム１２が空間Ｆ１（図９参照）に差し込まれた状態では、凸部８３が押下されて弾性体８１が圧縮され、フレーム１２には上方への付勢力が作用する。
【００６７】
押圧部材８０は、凹部７１の開口７２の縁部に係合する平板部８２と、凹部７１の開口７２から上方に突出する凸部８３とを有する。本実施形態では、１枚の金属板を曲げ加工することにより、押圧部材８０の幅方向両側に一対の平板部８２が、幅方向中央部に凸部８３がそれぞれ形成されている。一対の平板部８２は、ボルトＢの頭部ＢＨと同様に、凹部７１の幅方向両端から縦桟７０の上面に沿って幅方向内側に延びる係止部７３（図８参照）に引っ掛かる。弾性体８１は、例えば平板部８２の下面に固定される。
【００６８】
押圧部材８０の凸部８３は、凹部７１の開口７２に挿入可能で、かつ縦桟７０の上面よりも上方に突出可能な高さで形成される。図９に例示する凸部８３は、平板部８２に対して略垂直に形成される一対の側部と、一対の側部の上端同士をつなぎ、平板部８２と略平行に形成される上面部とを含む。凸部８３は、例えば、弾性体８１が圧縮されていない状態において凹部７１の開口７２から大きく突出し、弾性体８１が圧縮された状態において凹部７１の開口７２から小さく突出する。
【００６９】
押圧部材８０は、凸部８３の上面部から下方に向かって傾斜した舌片部８４を有していてもよい。押圧部材８０は、舌片部８４が押圧部材８０の棟側端部に位置するように凹部７１に挿入される。舌片部８４は、凸部８３の上面部から棟側に向かって、かつ凹部７１の底面と干渉しない範囲で下方に向かって延出する。舌片部８４を設けることにより、太陽電池モジュール１０Ａのフレーム１２を空間Ｆ１に差し込む際に、フレーム１２が凸部８３の棟側端部に引っ掛かることを防止できる。
【００７０】
上述の構成を備えた太陽光発電装置２００によれば、太陽電池モジュール１０Ａのフレーム１２を差し込むことが容易な寸法で空間Ｆ１を形成しつつ、押圧部材８０を設けることでフレーム１２を安定に固定できる。空間Ｆ１を大きく形成することにより、太陽電池モジュール１０Ａの取り付けが容易になり施工性が向上する。一方、空間Ｆ１を大きくすると、フレーム１２と上止め金具２０の間に隙間が生じ易くなるが、押圧部材８０がフレーム１２を押し上げることで当該隙間が無くなりフレーム１２が縦桟７０に対して安定に固定される。また、耐負圧荷重性能も向上する。
【００７１】
図１０は、太陽光発電装置２００の変形例を示す断面図である。図１０に例示する形態は、太陽電池モジュール１０を支持する支持部材として、押圧部材８０をスライド可能に支持する凹部９２が形成されたベース金具９０を備える点で、図７に例示する形態と異なる。さらに、太陽電池モジュール１０Ａのフレーム１２には、本体１２Ａの下端からモジュールの内側に延出した内鍔１２Ｃが形成されている。
【００７２】
ベース金具９０は、ボルトＢの頭部ＢＨを屋根の桁方向に沿ってスライド可能に保持する凹部９１を有する。押圧部材８０が挿入される凹部９２は、凹部９１よりもベース金具９０の棟側において凹部９１と略平行に形成される。押圧部材８０の平板部８２は係止部９４に引っ掛かり、押圧部材８０の凸部８３は凹部９２の開口９３から上方に突出している。この場合、押圧部材８０は舌片部８４を有していなくてもよい。
【００７３】
図１０に例示する形態では、フレーム１２の内鍔１２Ｃを利用して押圧部材８０が太陽電池モジュール１０Ａを押し上げる。押圧部材８０が取り付けられるベース金具９０の凹部９２は、太陽電池モジュール１０Ａの内鍔１２Ｃが配置される位置に形成され、凹部９２の開口９３から上方に突出した押圧部材８０の凸部８３は内鍔１２Ｃの下面に当接して内鍔１２Ｃを押し上げる。太陽電池モジュール１０Ａのフレーム１２は、上止め金具２０と押圧部材８０によって挟持され、ベース金具９０に対して安定に固定される。
【００７４】
図１１は、実施形態の他の一例である太陽光発電装置３００を屋根の軒棟方向に切断した断面図であって、屋根に対する太陽電池モジュール１０の取り付け構造を示す図である。図１１に例示するように、太陽光発電装置３００では、太陽電池モジュール１０Ａのフレーム１２と縦桟７０との間に介在する板状の部材であるアースプレート９５が、太陽電池モジュール１０Ａを下方から押し上げる押圧部材として機能する。なお、フレーム１２には、内鍔１２Ｃが形成されており、アースプレート９５は内鍔１２Ｃを利用して太陽電池モジュール１０Ａを押し上げる。
【００７５】
アースプレート９５は、アースプレート４０と同様に、ボルトＢを通すための貫通孔９６と、フレーム１２およびベース金具９０に食い込む突起部（図示せず）とを有する。一方、アースプレート９５は、フレーム１２の本体１２Ａの下に位置する部分よりも内鍔１２Ｃの下に位置する部分が厚く形成されている点で、アースプレート４０と異なる。内鍔１２Ｃの下面に当接する厚肉部９７は、例えば、アースプレート９５の端部を１回または複数回折り返して形成される。或いは、厚肉部９７は別部材を接合して形成されてもよい。
【００７６】
厚肉部９７の厚みは、アースプレート９５の他の部分の厚み（一例としては０．３ｍｍ〜０．４ｍｍ）、に対して、２倍〜５倍であることが好ましい。アースプレート９５の端部を折り返して厚肉部９７が形成される場合、厚肉部９７は、当該プレートをつづら折りして形成されてもよく、渦巻き状に巻回することにより形成されてもよい。
【００７７】
アースプレート９５の厚肉部９７は、太陽電池モジュール１０Ａのフレーム１２を空間Ｆ１に差し込む際に邪魔にならず、フレーム１２が空間Ｆ１に差し込まれた状態で内鍔１２Ｃと重なる位置に形成される。厚肉部９７は、内鍔１２Ｃの下面に当接して内鍔１２Ｃを押し上げる。したがって、太陽電池モジュール１０Ａのフレーム１２は、上止め金具２０と押圧部材であるアースプレート９５によって挟持され、縦桟７０に対して安定に固定される。なお、アースプレート９５は、縦桟７０以外の支持部材に適用されてもよい。
【符号の説明】
【００７８】
１０，１０Ａ，１０Ｂ  太陽電池モジュール、１１  太陽電池パネル、１２  フレーム、２０  上止め金具、２１  基部、２１Ａ  棟側の側部、２１Ｃ  底部、２２Ａ  棟側の脚部、２３  突起部、３０  カバー、４０，９５  アースプレート、５０  ベース金具（支持部材）、７０  縦桟、７１  凹部、７２  開口、７３  係止部、８０，９０  押圧部材、８１  弾性体、８２  平板部、８３  凸部、８４  舌片部、１００，２００  太陽光発電装置、１１０  屋根、Ｂ  ボルト、Ｎ  ナット、ＢＨ  頭部、Ｓ  スプリング
【図１】
2020165280.tif 000003
【図２】
2020165280.tif 000004
【図３】
2020165280.tif 000005
【図４】
2020165280.tif 000006
【図５Ａ】
2020165280.tif 000007
【図５Ｂ】
2020165280.tif 000008
【図５Ｃ】
2020165280.tif 000009
【図６】
2020165280.tif 000010
【図７】
2020165280.tif 000011
【図８】
2020165280.tif 000012
【図９】
2020165280.tif 000013
【図１０】
2020165280.tif 000014
【図１１】
2020165280.tif 000015